(57)【要約】  通信システム（５０）は、第１の局（１００）と複数の第２の局（２００）とを有する。各第２の局（２００）は、各第２の局による受信のために現在利用可能な１つまたは複数の伝送形態の第１の表示を伝送し、１つまたは複数の第２の局（２００）は拒否されるべき伝送形態の第２の表示を伝送する。第１の局（１００）はそれら表示を受信し、第１の表示と第２の表示とを用いて、伝送形態を選択し、この選択はすべての第２の局（２００）が利用可能であるそれら伝送形態と、それら第２の局（２００）のサブセットのみが利用可能な伝送形態とから行われ、さらに拒否された各伝送形態を除外する。第１の局（１００）は、次いで選択された伝送形態を用いてデータを伝送する。このデータは１つまたは複数の第２の局（２００）によって受信され、宛先（４００）に転送される。
2007536869.tif 000002
【特許請求の範囲】
【請求項１】
第１の局（１００）と、複数の第２の局（２００）とを有する通信システム（５０）の動作方法であって、
各第２の局（２００）で、前記それぞれの第２の局（２００）による受信のために現在利用可能な１つまたは複数の伝送形態の第１の表示を伝送し、
１つまたは複数の前記第２の局（２００）で、拒否されるべき伝送形態の第２の表示を伝送し、
前記第１の局（１００）で、
−前記表示を受信し、
−前記第１の表示と前記第２の表示とを用いて、伝送形態を選択し、前記選択はすべての第２の局（２００）が利用可能なそれら伝送形態と、前記第２の局（２００）のサブセットのみが利用可能な伝送形態とから行われ、さらに拒否された各伝送形態を除外し、
−前記選択された伝送形態を用いてデータを伝送し、
１つまたは複数の前記第２の局（２００）で前記データを受信する、
ことを含む方法。
【請求項２】
前記選択された伝送形態を利用可能として表示した少なくとも１つの第２の局と、前記選択された伝送形態を利用可能として表示しなかった少なくとも１つの第２の局（２００）とで、前記伝送されたデータの受信に応じて確認応答を伝送し、前記第１の局（１００）で、前記選択された伝送形態を利用可能として表示したそれら第２の局（２００）と、前記選択された伝送形態を利用可能として表示しなかったそれら第２の局（２００）とから前記確認応答を受信することをさらに含む、請求項１に記載の方法。
【請求項３】
複数の第２の局（２００）を有する通信システム（５０）内で使用するための第１の局（１００）であって、
−複数の第２の局（２００）の各々から、前記それぞれの第２の局（２００）による受信のために現在利用可能な１つまたは複数の伝送形態の第１の表示を受信する手段（１４０）、
−１つまたは複数の前記第２の局から、拒否されるべき伝送形態の第２の表示を受信する手段（１４０）、
−前記第１の表示と前記第２の表示とを用いて、伝送形態を選択し、前記選択はすべての第２の局（２００）が利用可能な伝送形態と、前記第２の局（２００）のサブセットのみが利用可能な伝送形態とから行われ、さらに拒否された各伝送形態を除外する手段（１５０）、
−前記選択された伝送形態を用いてデータを伝送する手段（１１０）、
を有する第１の局（１００）。
【請求項４】
第１の局（１００）と複数の第２の局（２００）とを有する通信システム（５０）内で使用するための第２の局（２００）であって、
前記第２の局（２００）による受信のために現在利用可能な１つまたは複数の伝送形態の第１の表示を伝送するように適応された手段（２１０）、
−拒否されるべき伝送形態の第２の表示を伝送するように適応された手段（２１０）、および
−第１の局（１００）によって伝送されたデータを受信する手段（２４０）、
を有する第２の局（２００）。
【請求項５】
前記受信する手段（２４０）は、前記第２の局（２００）による受信のために利用可能であるとして現在表示されていない形態で前記第１の局（１００）によって伝送された前記データを受信するように適応された、請求項４に記載の第２の局（２００）。
【請求項６】
請求項３に記載の第１の局（１００）と、請求項４に記載の複数の第２の局（２００）とを有する通信システム（５０）。
【発明の詳細な説明】
【技術分野】
【０００１】
本発明は、通信システム、通信システム内で使用するための局、ならびに該システムおよび局の動作方法に関する。本発明は移動体通信、例えば、複数の基地局間のソフトハンドオーバの際に、移動局から固定ノードへのデータの伝送に特定用途がある。
【背景技術】
【０００２】
セルラー方式移動体通信システムは、ソフトハンドオーバを用いることが知られており、その場合、移動局は１つより多いセル内で基地局と通信する。これは、例えば、１つのセルから別のセルに転送する場合に行われることがあり、その場合、ソフトハンドオーバは進行中の通信に対するあらゆる中断を最小限に抑えることができる。移動局により伝送されたデータはそれら基地局のいずれかを経由して宛先に経路づけられることが可能である。
【０００３】
基地局は複数の伝送形態のいずれかを動作されるように装備されること、および伝送形態は基地局と移動局との間で特定の伝送が交渉されるように用いられることが知られている。伝送形態は、変調方式、伝送速度、コーディング、およびインターリーブ深度（ｉｎｔｅｒｌｅａｖｉｎｇ  ｄｅｐｔｈ）などの伝送された信号に関する１つまたは複数のパラメータを有する。
【０００４】
ソフトハンドオーバの際に使用するための伝送形態を選択することが可能であることが望ましい。
【発明の開示】
【発明が解決しようとする課題】
【０００５】
本発明の目的は、ソフトハンドオーバの際に使用するための伝送形態の選択を可能にすることである。
【課題を解決するための手段】
【０００６】
本発明の第１の態様によれば、第１の局と複数の第２の局とを有する通信システムの動作方法が提供され、この方法は、
各第２の局で、それぞれの第２の局による受信のために現在利用可能な１つまたは複数の伝送形態の第１の表示を伝送し、
１つまたは複数の第２の局で、拒否されるべき伝送形態の第２の表示を伝送し、
第１の局で、
−それら表示を受信し、
−第１の表示と第２の表示とを用いて、伝送形態を選択し、この選択はすべての第２の局が利用可能なそれら伝送形態と、それら第２の局のサブセットのみが利用可能な伝送形態とから行われ、さらに拒否された各伝送形態を除外し、
−その選択された伝送形態を用いてデータを伝送し、
１つまたは複数の第２の局でこのデータを受信する、
ことを含む。
【０００７】
本発明の第２の態様によれば、複数の第２の局を有する通信システム内で使用するための第１の局が提供され、この第１の局は、
−複数の第２の局の各々から、それぞれの第２の局による受信のために現在利用可能な１つまたは複数の伝送形態の第１の表示を受信する手段、
−１つまたは複数の第２の局から、拒否されるべき伝送形態の第２の表示を受信する手段、
−第１の表示と第２の表示とを用いて、伝送形態を選択し、この選択はすべての第２の局が利用可能なそれら伝送形態と、第２の局のサブセットのみが利用可能な伝送形態とから行われ、さらに拒否された各伝送形態を除外する手段、
−その選択された伝送形態を用いてデータを伝送する手段、
を有する。
【０００８】
本発明の第３の態様によれば、第１の局と複数の第２の局とを有する通信システム内で使用するための第２の局が提供され、この第２の局は、
−第２の局による受信のために現在利用可能な１つまたは複数の伝送形態の第１の表示を伝送する手段、
−拒否されるべき伝送形態の第２の表示を伝送する手段、および
−第１の局によって伝送されたデータを受信する手段、
を有する。
【０００９】
本発明の第４の態様によれば、本発明の第２の態様による第１の局と、本発明の第３の態様による複数の第２の局とを有する通信システムが提供される。
【００１０】
受信のためにどの伝送形態が現在利用可能かを表示することによって、第２の局は第１の局が利用可能な、少なくとも１つの第２の局が有する形態を第１の局が選択できるようにするための情報を提供する。用語「受信のために利用可能な」は、第２の局が表示された伝送形態を用いてデータを受信するように装備されていること、およびこの該伝送形態を用いた受信品質が、基準に従って、データを受信するのに適切であると評価されていることを意味する。受信品質を評価するために単独でまたは組み合わせて用いられてもよいパラメータは、例えば、信号レベル、ビット誤り率、ブロック誤り率、信号対干渉比（信号対混信比）（ｓｉｇｎａｌ−ｔｏ−ｉｎｔｅｒｆｅｒｅｎｃｅ  ｒａｔｉｏ）、信号対雑音比、遅延、負荷、バッファ占有量（ｂｕｆｆｅｒ  ｏｃｃｕｐａｎｃｙ）、受信された電源制御命令（ｐｏｗｅｒ  ｃｏｎｔｒｏｌ  ｃｏｍｍａｎｄｓ）の値および現在の伝送電力である。その他のパラメータが用いられてもよい。
【００１１】
拒否されるべき伝送形態を表示することによって、第２の局は、それら第２の局のその他の局によって使用された場合、基準に従って許容できない干渉が生じると評価されるそれら伝送形態を表示することができる。干渉の許容性を評価するために用いられてもよいパラメータは受信品質を評価するための上記パラメータと同じである。
【００１２】
すべての第２の局が利用可能なそれら伝送形態と、第２の局のサブセットのみが利用可能な伝送形態とから伝送形態を選択し、拒否された各伝送形態を除外することによって、選択のために利用可能な伝送形態の数は最大化され、より高い効率性（例えば、より高いデータ転送速度またはより高い信号品質）を可能にする伝送形態が選択され得るという利点を有する。
【００１３】
一実施形態では、選択された形態は利用可能でなかったことを表示するにもかかわらず、その選択された形態で伝送されたデータを受信する第２の局は、確認応答（ａｃｋｎｏｗｌｅｄｇｅｍｅｎｔ）を伝送してもよい。確認応答は肯定的な確認応答であってもまたは否定的な確認応答であってもよい。そのような状態は、例えば、このデータが伝送される前に受信状態が改善する場合に生じる可能性がある。この実施形態は、伝送されたデータが受信される第２の局の数が最大化され、その結果、効率性を高めるという利点を有する。この実施形態では、第１の局は、選択された伝送形態を利用可能なものとして表示した第２の局と、選択された伝送形態を利用可能なものとして表示しなかった第２の局とから確認応答を受信するように適応される。
【００１４】
上の実施形態の変更形態では、第２の局が利用可能でないものとして表示した伝送形態を用いてデータを受信したことに応じて、第２の局によって伝送された確認応答は肯定的な確認応答に限定される。
【００１５】
本発明は次に、添付の図面を参照して、例としてのみ説明される。
【発明を実施するための最良の形態】
【００１６】
図１を参照すると、第１の局１００と、宛先ノード装置４００に結合された複数の第２の局２００とを有する無線通信システム５０が示されている。第１の局１００は、例えば、移動体通信設備であってもよく、第２の局２００は移動体通信ネットワーク内の基地局であってもよい。用語「ノード装置」は、データが経路づけられるべき複数の第２の局２００の各々に結合された任意の装置を指すために用いられる。
【００１７】
第１の局１００は、アップリンク３１０上でデータを伝送するための送信機１１０を有する。送信機１１０は、例えばサーキュレータまたは切換スイッチであってもよい結合手段１３０を経由してアンテナ１２０に結合された出力を有する。結合手段１３０はまた、アンテナ１２０からダウンリンク３２０信号を受信するための受信機１４０の入力にも結合される。送信機１１０と受信機１４０とに結合されるのは、第２の局２００から受信された信号を処理するための制御手段１５０（例えば、プロセッサ）である。
【００１８】
第２の局２００は各々、アップリンク３１０上で第１の局１００によって伝送されたデータを受信するための受信機２４０を有する。受信機２４０は、例えばサーキュレータまたは切換スイッチであってもよい結合手段２３０を経由してアンテナ２２０に結合された入力を有する。結合手段２３０はまた、アンテナ２２０を経由してダウンリンク信号を伝送するための送信機２１０の出力にも結合される。送信機２１０と受信機２４０とに結合されるのは、第１の局１００から受信されたデータ信号を処理するための制御手段２５０（例えば、プロセッサ）である。制御手段２５０は記憶手段２６０を含む。
【００１９】
ノード装置４００は、第２の局２００によって転送されたデータを受信するための受信機４１０を有する。ノード装置４００は、記憶手段、転送手段または処理手段など、受信されたデータに作用する追加要素も有する。
【００２０】
次に、図２の流れ図を参照して無線通信システム５０の動作が説明される。図２では、流れ図の左側のステップは第１の局１００によって実行されるステップに関連し、右側のステップは第２の局２００の各々によって実行されるステップに関連する。破線のブロックに示されたステップは、オプションのステップである。
【００２１】
ステップ５００で、各第２の局２００の制御手段２５０は、データの受信のために第２の局２００がどの伝送形態を現在利用可能であるかを決定する。そのような形態の一覧表は、所定のものであるか、上に説明された評価パラメータを用いて動的に決定され、記憶手段２６０内に記憶されてもよい。またステップ５００で、各第２の局２００の制御手段２５０は、それら第２の局のその他の局によって用いられた場合、許容できない干渉が生じると評価された任意の伝送形態を決定する。この評価のための可能なパラメータは上に説明されている。それら後者の伝送形態は拒否されるべき形態であり、それら形態の一覧表は記憶手段２６０内に記憶されてもよい。第２の局２００が拒否すべきであると選択する形態は、データの受信のためにそれぞれの第２の局２００が現在利用可能でない形態のサブセットであってもよい。
【００２２】
ステップ５１０で、各第２の局は送信機２１０を経由して、それぞれの第２の局によるデータの受信のために現在利用可能な１つまたは複数の伝送形態の第１の表示と、もしある場合は、拒否されるべき任意の伝送形態の第２の表示とを伝送する。
【００２３】
ステップ５２０で、第１の局１００はその受信機１４０を経由して第２の局２００の各々から表示を受信する。
【００２４】
ステップ５３０で、制御手段１５０は受信された第１の表示と第２の表示とを用いて、伝送形態を選択する。この選択はすべての第２の局２００が利用可能なそれら伝送形態と、第２の局２００のサブセットのみが利用可能なそれら伝送形態とから行い、拒否された各伝送形態を除外する。
【００２５】
ステップ５４０で、第１の局１００は、送信機１１０を経由して、選択された伝送形態を用いてデータを伝送する。
【００２６】
ステップ５５０で、該データは１つまたは複数の第２の局２００で受信される。
【００２７】
ステップ５６０で、受信されたデータは該データを受信した１つまたは複数の第２の局２００によって宛先に転送される。図１では、宛先はノード装置４００である。
【００２８】
オプションのステップ５７０で、該データを受信し、該データをノード装置４００に転送した第２の局２００は、確認応答を伝送する。確認応答は該データの成功した受信を表示する肯定的な確認応答であっても、または該データの成功しなかった受信を表示する否定的な確認応答であってもよい。オプションで、選択された形態は利用可能でなかったことを表示するにもかかわらず、その選択された形態で伝送されたデータを受信する第２の局２００は、確認応答を伝送してもよい、さらなるオプションでは、そのような確認応答の伝送は肯定的な確認応答のみに限定されてもよい。
【００２９】
オプションのステップ５８０で、第１の局１００は受信機１４０を経由して確認応答を受信する。受信機１４０はオプションで、選択された伝送形態を利用可能として表示したそれら第２の局と、また選択された伝送形態を利用可能として表示しなかったそれら第２の局との両方から確認応答を受信するように適応されてもよい。例えば、受信機１４０が符号分割多元接続（符号分割多重接続）（ｃｏｄｅ  ｄｉｖｉｓｉｏｎ  ｍｕｌｔｉｐｌｅ  ａｃｃｅｓｓ）（ＣＤＭＡ）確認応答信号用の受信機である場合、この受信機は、単に選択された伝送形態を利用可能として表示したそれら第２の局２００によって用いられる符号のみならず、第２の局２００のすべてによって用いられる符号に関して相関するように適応されてもよい。
【００３０】
ステップ５８０の後、第１の局１００は、肯定的な確認応答を受信したかどうかに従って、当該データを再伝送するか否かを決定してよい。
【００３１】
本明細書および特許請求の範囲では、要素に先立つ用語「１つの（「ａ」または「ａｎ」）は、複数のそのような要素の存在を排除しない。さらに、用語「有する」は列挙されたもの以外の要素またはステップの存在を排除しない。
【００３２】
特許請求の範囲内の括弧内の参照符号の包括は理解を助けることが意図されており、限定することを意図していない。
【００３３】
この開示を読むことから、その他の変更形態が当業者には明らかになるであろう。そのような変更形態は通信システム、装置および動作方法の分野においてすでに知られた他の特徴、および本明細書ですでに説明された特徴の代わりに、またはそれら特徴に加えて用いられてもよい特徴を含んでもよい。
【図面の簡単な説明】
【００３４】
【図１】通信システムの概略ブロック図である。
【図２】データパケットの通信方法の流れ図である。
【図１】
2007536869.tif 000003
【図２】
2007536869.tif 000004
【国際調査報告】
2007536869.tif 000005
2007536869.tif 000006
2007536869.tif 000007